(57)【要約】【課題】遅延器の通過損失が小さく、かつ小型軽量化を促進すること。【解決手段】下り主線系および上り主線系に各別に設けられ、符号分割多元接続方式における拡散符号の１チップ以上の固定の遅延量を付与する遅延器を、一つの遅延器７とし、遅延器７を、下り主線系および上り主線系のそれぞれが共有し、下り抑圧系の遅延器１２ａおよび上り抑圧系の遅延器１２ｂの遅延量は各別に設定し、各別に設けるようにしている。【選択図】　　　図１
2004048200.tif 000002
【特許請求の範囲】
【請求項１】
第１のアンテナから受信した第１の受信信号と同一周波数の送信信号を第１の増幅手段によって増幅して第２のアンテナから送出する第１の中継手段と、前記第２のアンテナから受信した第２の受信信号と同一周波数の送信信号を第２の増幅手段によって増幅して第１のアンテナから送出する第２の中継手段と、前記第２のアンテナから前記第１のアンテナへの第１の回り込み信号による干渉を抑圧する第１の干渉抑圧手段と、前記第１のアンテナから前記第２のアンテナへの第２の回り込み信号による干渉を抑圧する第２の干渉抑圧手段とを備えた無線中継装置において、
前記第１および第２の増幅手段は、符号分割多元接続方式における拡散符号の１チップ以上の遅延量を付与し、当該第１および第２の増幅手段が共有するチップ遅延手段を備え、
前記第１および第２の干渉抑圧手段は、前記チップ遅延手段によって遅延された信号の一部としてそれぞれ取り出された第１および第２の干渉抑圧信号と前記第１および第２の回り込み信号の遅延差に相当する遅延量を該第１および第２の干渉抑圧信号にそれぞれ付与し、前記第１および第２の回り込み信号をそれぞれキャンセル可能となるように該第１および第２の干渉抑圧信号の位相と振幅とを制御することを特徴とする無線中継装置。
【請求項２】
前記第１および第２の干渉抑圧手段は、
前記チップ遅延手段によって遅延された信号の一部としてそれぞれ取り出された第１および第２の干渉抑圧信号と前記第１および第２の回り込み信号との遅延差に相当する遅延量を該第１および第２の干渉抑圧信号に付与し、当該第１および第２の干渉抑圧手段が共有する遅延手段を備えたことを特徴とする請求項１に記載の無線中継装置。
【請求項３】
前記チップ遅延手段または前記遅延手段は、
前記第１の受信信号と同一周波数帯および前記第２の受信信号と同一周波数帯のフィルタを、信号入力部および信号出力部に設けたことを特徴とする請求項１または２に記載の無線中継装置。
【請求項４】
前記チップ遅延手段および／または前記遅延手段は、
入力された電気信号を光信号に変換する電気光変換手段と、
出力される光信号を電気信号に変換する光電気変換手段と、
前記電気光変換手段と前記光電気変換手段との間に接続された遅延用の光ファイバケーブルと、
を備えたことを特徴とする請求項１〜３のいずれか一つに記載の無線中継装置。
【発明の詳細な説明】
【０００１】
【発明の属する技術分野】
この発明は、移動通信システムに用いられ、特に基地局と移動局との間の不感地帯の解消あるいはカバーエリアの拡大に用いられる無線中継装置に関するものである。
【０００２】
【従来の技術】
従来から、移動体通信システムなどでは、基地局と移動局との間に、山岳地域や、平野部であってもビル内あるいはトンネル内などの比較的に電波の届きにくい場所が発生し、この場合、無線中継装置が用いられる。このほか、無線中継装置は、無線ゾーンのエリア拡大のためにも用いられる。
【０００３】
この無線中継装置には、符号分割多元接続方式や符号分割多重方式を用い、受信した信号をそのまま、すなわち高周波信号のまま中継するＲＦリピータ装置がある。このＲＦリピータ装置は、高周波信号のまま中継するために、コスト的に有利な装置である。
【０００４】
図３は、不感地帯をカバーする無線中継装置が用いられた移動通信システムの概要構成を示す図である。図３において、基地局１００と移動局１０１とは、移動局１０１が不感地帯１０３に位置するため、直接通信を行うことができない。無線中継装置２００は、基地局１００と移動局１０１との間の通信を中継する。無線中継装置２００は、基地局１００からの下り信号ｆＤをアンテナ２０１ａで受信し、この下り信号ｆＤを増幅してアンテナ２０１ｂから移動局１０１に送信する。一方、移動局１０１からの上り信号ｆＵは、アンテナ２０１ｂで受信し、この上り信号ｆＵを増幅してアンテナ２０１ａから基地局１００に送信する。
【０００５】
ここで、ＲＦリピータ装置としての無線中継装置２００は、同一周波数の高周波信号をそのまま増幅し輻射するため、アンテナ２０１ａ，２０１ｂ間のアイソレーションがリピータ利得よりも高く取るように設置される。しかし、送受信アンテナ間を十分離隔できないなど、ＲＦリピータ装置の設置制約上から、送受信アンテナ間のアイソレーションが十分とれない場合が発生し、送受信アンテナ間の回り込み信号によって伝送品質が劣化し、あるいはアンテナ間のアイソレーションに比してリピータ利得が高い場合、発振してしまうという不具合が発生する。
【０００６】
このため、無線中継装置２００は、図４に示すように、回り込み信号Ｓａ，Ｓｂを抑圧する干渉抑圧回路２２０が設けられる。図４は、無線中継装置２００の詳細構成を示すブロック図である。図４において、この無線中継装置２００は、ＲＦリピータ装置であり、基地局１００からの下り受信信号は、アンテナ２０１ａで受信され、サーキュレータ２０２ａを介し、下り主線系信号ＳＤとして方向性結合器２０３ａに入力される。方向性結合器２０３ａは、後述する干渉抑圧信号である下り抑圧系信号ＳＤＸと合成され、下り主線系信号ＳＤ内の回り込み信号Ｓａ成分をキャンセルする。
【０００７】
下り主線系信号ＳＤは、その後、低雑音増幅器２０４ａに入力されて増幅され、方向性結合器２０５ａを介して遅延器２０６ａに入力される。遅延器２０６ａは１チップ以上、例えば８００ＭＨｚ帯の広帯域符号分割多元接続方式において７５０ｎｓｅｃ以上の遅延を与える。さらに、下り主線系信号ＳＤは、電力増幅器２０７ａによって電力増幅され、方向性結合器２０８ａを介して下り主線系信号ＳＤの一部を下り抑圧系信号ＳＤＸとして分岐する。下り主線系信号ＳＤは、サーキュレータ２０２ｂを介してアンテナ２０１ｂから下り主線系信号ＳＤを放射し、その一部が回り込み信号Ｓａとしてアンテナ２０１ａに回り込む。
【０００８】
方向性結合器２０８ａから分岐された下り抑圧系信号ＳＤＸは、方向性結合器２０９ａを介して遅延器２１０ａに入力され、回り込み信号Ｓａと下り抑圧系信号ＳＤＸの遅延差に相当する遅延量が付加される。その後、下り抑圧系信号ＳＤＸは、可変の移相器２１１ａおよび可変の減衰器２１２ａに入力される。ここで、方向性結合器２０５ａから下り主線系信号ＳＤの一部および方向性結合器２０９ａから下り抑圧系信号ＳＤＸの一部がデジタル信号処理部Ｃ２ａに入力される。デジタル信号処理部Ｃ２ａは、下り抑圧系信号ＳＤＸが、回り込み信号Ｓａと同振幅かつ逆位相とするべく、移相器２１１ａの移相量および減衰器２１２ａの減衰量とを可変調整する。これによって、回り込み信号Ｓａをキャンセルする下り抑圧系信号ＳＤＸが生成され、方向性結合器２０３ａに出力され、回り込み信号Ｓａの干渉抑圧が実行される。なお、アンテナ２０１ｂから受信される上り主線系信号ＳＵについても上り抑圧系信号ＳＵＸが生成され、この上り抑圧系信号ＳＵＸによる干渉抑圧が実行される。
【０００９】
【発明が解決しようとする課題】
ここで、上述した従来の無線中継装置では、遅延器２０６ａ，２０６ｂが７５０ｎｓｅｃ以上の遅延を、例えば同軸ケーブルで付与すると１００ｍ以上の長さが必要になる。たとえば、５μｓｅｃ／ｋｍの遅延をもつ同軸ケーブルの場合、１５０ｍで７５０ｎｓｅｃの遅延が得られる。この同軸ケーブルを用いた遅延では、収納スペースが膨大なものとなり、無線中継装置の小型軽量化を推進することができないという問題点があった。このため、ＳＡＷフィルタを用いて７５０ｎｓｅｃの遅延を得ることも考えられるが、通過損失が大きくなるという問題点があった。
【００１０】
この発明は、上述した従来技術による問題点を解消するため、遅延器の通過損失が小さく、かつ小型軽量化を促進することができる無線中継装置を提供することを目的とする。
【００１１】
【課題を解決するための手段】
上述した課題を解決し、目的を達成するため、請求項１にかかる無線中継装置は、第１のアンテナから受信した第１の受信信号と同一周波数の送信信号を第１の増幅手段によって増幅して第２のアンテナから送出する第１の中継手段と、前記第２のアンテナから受信した第２の受信信号と同一周波数の送信信号を第２の増幅手段によって増幅して第１のアンテナから送出する第２の中継手段と、前記第２のアンテナから前記第１のアンテナへの第１の回り込み信号による干渉を抑圧する第１の干渉抑圧手段と、前記第１のアンテナから前記第２のアンテナへの第２の回り込み信号による干渉を抑圧する第２の干渉抑圧手段とを備えた無線中継装置において、前記第１および第２の増幅手段は、符号分割多元接続方式における拡散符号の１チップ以上の遅延量を付与し、当該第１および第２の増幅手段が共有するチップ遅延手段を備え、前記第１および第２の干渉抑圧手段は、前記チップ遅延手段によって遅延された信号の一部としてそれぞれ取り出された第１および第２の干渉抑圧信号と前記第１および第２の回り込み信号の遅延差に相当する遅延量を該第１および第２の干渉抑圧信号にそれぞれ付与し、前記第１および第２の回り込み信号をそれぞれキャンセル可能となるように該第１および第２の干渉抑圧信号の位相と振幅とを制御することを特徴とする。
【００１２】
請求項１の発明によれば、前記第１および第２の増幅手段が、符号分割多元接続方式における拡散符号の１チップ以上の遅延量を付与するチップ遅延手段を共有するようにし、無線中継装置の小型軽量化を図ることができる。
【００１３】
また、請求項２にかかる無線中継装置は、上記の発明において前記第１および第２の干渉抑圧手段は、前記チップ遅延手段によって遅延された信号の一部としてそれぞれ取り出された第１および第２の干渉抑圧信号と前記第１および第２の回り込み信号との遅延差に相当する遅延量を該第１および第２の干渉抑圧信号に付与し、当該第１および第２の干渉抑圧手段が共有する遅延手段を備えたことを特徴とする。
【００１４】
請求項２の発明によれば、前記第１および第２の干渉抑圧手段が、前記第１および第２の回り込み信号の遅延量がほぼ同じであることに着目し、前記第１および第２の干渉抑圧信号と前記第１および第２の回り込み信号との遅延差に相当する遅延量を付与する遅延手段を共有するようにし、無線中継装置の小型軽量化をさらに図ることができる。
【００１５】
また、請求項３にかかる無線中継装置は、上記の発明において、前記チップ遅延手段または前記遅延手段は、前記第１の受信信号と同一周波数帯および前記第２の受信信号と同一周波数帯のフィルタを、信号入力部および信号出力部に設けたことを特徴とする。
【００１６】
請求項３の発明によれば、前記チップ遅延手段および／または前記遅延手段は信号入力部および信号出力部に、前記第１の受信信号と同一周波数帯および前記第２の受信信号と同一周波数帯のフィルタを設け、第１の受信信号と第２の受信信号とを峻別するようにしているので、第１および第２の受信信号の中継処理を確実に行うことができる。
【００１７】
また、請求項４にかかる無線中継装置は、上記の発明において、前記チップ遅延手段または前記遅延手段は、入力された電気信号を光信号に変換する電気光変換手段と、出力される光信号を電気信号に変換する光電気変換手段と、前記電気光変換手段と前記光電気変換手段との間に接続された遅延用の光ファイバケーブルとを備えたことを特徴とする。
【００１８】
請求項４の発明によれば、前記チップ遅延手段または前記遅延手段は、入力された電気信号を光信号に変換する電気光変換手段と、出力される光信号を電気信号に変換する光電気変換手段との間に遅延用の光ファイバケーブルを接続し、同軸ケーブルに比して小型軽量化を一層促進するとともに、高価な電気光変換手段および光電気変換手段の部品数を削減できるので、一層小型軽量化を促進するとともに、コスト高を削減できる。
【００１９】
【発明の実施の形態】
以下に添付図面を参照して、この発明にかかる無線中継装置および干渉抑圧装置について説明する。
【００２０】
（実施の形態１）
まず、この発明の実施の形態１について説明する。図１は、この発明の実施の形態１である無線中継装置の構成を示すブロック図である。この無線中継装置は、図４に示した無線中継装置における遅延器２０６ａ，２０６ｂを一つの遅延器とし、上りおよび下りの中継処理において共有しようとするものである。
【００２１】
図１において、この無線中継装置は、広帯域符号分割多元接続方式を採用した移動無線通信システムの一部に用いられ、図示しない基地局と無線接続されるアンテナ１ａと、図示しない移動局と無線接続されるアンテナ１ｂと、アンテナ１ａ，１ｂにそれぞれ接続されるサーキュレータ２ａ，２ｂと、このサーキュレータ２ａ，２ｂ間に接続されて下り主線系信号ＳＤの増幅中継処理を行う下り主線系と、上り主線系信号ＳＤＸの増幅中継処理を行う上り主線系と、下り主線系信号ＳＤを回り込み信号Ｓａによる干渉抑圧処理を行う下り抑圧系と、上り主線系信号ＳＵを回り込み信号Ｓｂによる干渉抑圧処理を行う上り抑圧系と、下り抑圧系の制御を行うデジタル信号処理部Ｃａと、上り抑圧系の制御を行うデジタル信号処理部Ｃｂとを有する。
【００２２】
下り主線系および上り主線系は、サーキュレータ２ａ，２ｂから下り主線系信号ＳＤ，上り主線系信号ＳＵと下り抑圧系信号ＳＤＸ，上り抑圧系信号ＳＵＸとがそれぞれ入力されて合成する方向性結合器３ａ，３ｂと、方向性結合器３ａ，３ｂからの出力信号をそれぞれ低雑音増幅する低雑音増幅器４ａ，４ｂと、この低雑音増幅された信号の一部をデジタル信号処理部Ｃａ，デジタル信号処理部Ｃｂにそれぞれ出力する方向性結合器５ａ，５ｂと、下り主線系信号ＳＤ，上り主線系信号ＳＵの信号帯域をそれぞれ通過させるフィルタ６ａ，６ｂと、下り主線系信号ＳＤおよび上り主線系信号ＳＵをそれぞれ共通して１チップ以上の遅延を付与する遅延器７と、下り主線系信号ＳＤ，上り主線系信号ＳＵの信号帯域をそれぞれ通過させるフィルタ８ａ，８ｂと、フィルタ８ａ，８ｂから出力された信号をそれぞれ電力増幅する電力増幅器９ａ，９ｂと、電力増幅器９ａ，９ｂから出力された下り主線系信号ＳＤ，上り主線系信号ＳＵの一部を取り出してそれぞれ下り抑圧系および上り抑圧系に出力する方向性結合器１０ａ，１０ｂと、方向性結合器１０ａ，１０ｂから出力された下り主線系信号ＳＤ，上り主線系信号ＳＵをそれぞれサーキュレータ２ｂ，２ａを介してアンテナ１ｂ，１ａに出力する。
【００２３】
下り抑圧系および上り抑圧系は、方向性結合器１０ａ，１０ｂから分岐された下り抑圧信号ＳＤＸ，上り抑圧系信号ＳＵＸの一部をそれぞれデジタル信号処理部Ｃａ，デジタル信号処理部Ｃｂに出力する方向性結合器１１ａ，１１ｂと、方向性結合器１１ａ，１１ｂからの下り抑圧系信号ＳＤＸ，上り抑圧系信号ＳＵＸをそれぞれ回り込み信号Ｓａ，Ｓｂと下り抑圧系信号ＳＤＸ，上り抑圧系信号ＳＵＸとの遅延差に相当する遅延分遅延させる遅延器１２ａ，１２ｂと、デジタル信号処理部Ｃａ，デジタル信号処理部Ｃｂの制御のもとに、下り抑圧系信号ＳＤＸ，上り抑圧系信号ＳＵＸの位相を可変移相する移相器１３ａ，１３ｂと、下り抑圧系信号ＳＤＸ，上り抑圧系信号ＳＵＸの振幅を可変減衰する減衰器１４ａ，１４ｂとを有し、可変調整された下り抑圧系信号ＳＤＸ，上り抑圧系信号ＳＵＸはそれぞれ方向性結合器３ａ，３ｂに出力される。
【００２４】
なお、上述したように、この無線中継装置は、ＲＦリピータ装置であり、再生中継せず、受信した下り信号を、高周波信号のまま増幅して輻射出力する。また、下り主線系信号ＳＤと上り主線系信号ＳＵとの周波数は異なる。また、アンテナ１ａが受信する下り信号の周波数とアンテナ１ｂが送信する下り信号の周波数とは同一であり、アンテナ１ｂが受信する上り信号の周波数とアンテナ１ａが送信する上り信号の周波数とは同一である。
【００２５】
ここで、デジタル信号処理部Ｃａ，Ｃｂは、方向性結合器５ａ，５ｂからの下り主線系信号ＳＤ，上り主線系信号ＳＵと方向性結合器１１ａ，１１ｂからの下り抑圧系信号ＳＤＸ，上り抑圧系信号ＳＵＸとの相関演算を行い、この相関演算の出力結果である相関値が小さくなるように、減衰器１４ａ，１４ｂおよび移相器１３ａ，１３ｂを可変制御する。この相関演算を行うのは、回り込み信号Ｓａがその伝搬空間において変動した振幅値と位相値とを知るためである。
【００２６】
また、遅延器７において１チップ以上の遅延を与えるのは、この遅延を与えない場合、この回り込み信号Ｓａ，Ｓｂと受信した所望信号との間の相関値が高くなり、回り込み信号Ｓａ，Ｓｂのみをキャンセルできなくなるからである。すなわち、１チップ以上の遅延を与えることによって、所望信号と回り込み信号との相関をなくし、受信信号中における干渉信号成分のみをキャンセルするようにしている。
【００２７】
遅延器７は、電気信号を光信号に変換する電気光変換器２１と、光信号を電気信号に変換する光電気変換器２２と、これら電気光変換器２１と光電気変換器２２との間に設けられ、上述した１チップ以上の遅延量を付与する光ファイバケーブル２３とを有する。また、遅延器１２ａは、電気信号を光信号に変換する電気光変換器２４と、光信号を電気信号に変換する光電気変換器２５と、これら電気光変換器２４と光電気変換器２５との間に設けられ、回り込み信号Ｓａの回り込み遅延量を付与する光ファイバケーブル２６とを有する。さらに、遅延器１２ｂは、電気信号を光信号に変換する電気光変換器２７と、光信号を電気信号に変換する光電気変換器２８と、これら電気光変換器２７と光電気変換器２８との間に設けられ、回り込み信号Ｓｂの回り込み遅延量を付与する光ファイバケーブル２９とを有する。
【００２８】
ここで、この実施の形態１の特徴である遅延器７には、異なる周波数ｆＤ，ｆＵである下り主線系信号ＳＤと上り主線系信号ＳＵとが入力され、同じ１チップ以上の遅延が付与されるが、これらを振り分けて入出力するため、下り主線系信号ＳＤの入力フィルタ，出力フィルタとしてフィルタ６ａ，８ａがそれぞれ設けられ、上り主線系信号ＳＵの入力フィルタ，出力フィルタとしてフィルタ６ｂ，８ｂがそれぞれ設けられる。これによって、従来、下り主線系と上り主線系とがそれぞれ有していた遅延器を一つの遅延器７として共有化することができる。この共有化が可能なのは、回り込み信号Ｓａ，Ｓｂと遅延量とが無関係であり、かつ下り主線系信号ＳＤと上り主線系信号ＳＵとが１チップ以上の遅延があればよいからである。この共有化によって、無線中継装置全体の小型軽量化が促進される。なお、上述した遅延器７は、収納スペースが１／２になるので同軸ケーブルであってもよいが、小型軽量化の促進の観点から光ファイバケーブル２３を用いることが好ましい。また、遅延器１２ａ，１２ｂは、それぞれ別体としたが、回り込み遅延量が小さければ、光ファイバケーブルに代えて同軸ケーブルを用いてもよい。また、ＳＡＷフィルタを用いてもよい。同軸ケーブルの場合、たとえば数１０ｍ程度の場合がある。
【００２９】
なお、上述した実施の形態１では、デジタル信号処理部Ｃａ，Ｃｂを別体としていたが、これに限らず、一つのデジタル信号処理部として共有化するようにしてもよい。
【００３０】
この実施の形態１では、下り主線系と上り主線系とがそれぞれ有していた遅延器を一つの遅延器７として共有化しているので、小型軽量化を促進し、特に光ファイバケーブルを用いることによって、通過損失を小さくし、かつ小型軽量化を一層促進することができる。
【００３１】
（実施の形態２）
つぎに、この発明の実施の形態２について説明する。上述した実施の形態１では、下り主線系および上り主線系の遅延器のみを共有化していたが、この実施の形態２では、下り抑圧系および上り抑圧系の遅延器をも共有化しようとするものである。
【００３２】
図２は、この発明の実施の形態２である無線中継装置の構成を示すブロック図である。この無線中継装置は、図１に示した遅延器１２ａ，１２ｂに代えて、一つの遅延器１２を設け、さらに下り抑圧系信号ＳＤＸと上り抑圧系信号ＳＵＸとの各周波数帯に対応した振り分け用の入力フィルタおよび出力フィルタを、遅延器１２の前段および後段に、フィルタ４０ａ，４１ａおよびフィルタ４０ｂ，４１ｂとしてそれぞれ設けている。その他の構成は実施の形態１と同じであり、同一構成部分には同一符号を付している。
【００３３】
ここで、遅延器１２は、回り込み信号Ｓａ，Ｓｂの遅延量に対応してそれぞれ設ける必要があり、回り込み信号Ｓａ，Ｓｂ自体の周波数帯が異なるものの、アンテナ１ａ，１ｂの配置関係が同じであることから、ほぼ同一の回り込み遅延量となる。この結果、遅延器１２ａ，１２ｂを一つの遅延器１２として共有化している。
【００３４】
この実施の形態２では、下り主線系と上り主線系との各遅延器を一つの遅延器７として共有化するのみでなく、下り抑圧系および上り抑圧系の各遅延器を一つの遅延器として共有化しているので、無線中継装置の小型軽量化を一層促進することができる。
【００３５】
なお、上述した実施の形態１，２では、いずれも回り込み信号Ｓａ，Ｓｂのマルチパスを考慮していなかったが、マルチパスの数に応じた数の抑圧系の回路を設け、これら抑圧系の回路からの各干渉抑圧信号を合成する合成器を介して下り主線系の信号あるいは上り主線系の信号に合成し、各マルチパスの回り込み信号をキャンセルするようにしてもよい。この場合、各マルチパスも下り抑圧系および上り抑圧系の遅延器の遅延量がほぼ同一となる場合が多いため、下り抑圧系および上り抑圧系の各遅延器を一つの遅延器として共有化するようにしてもよい。
【００３６】
【発明の効果】
以上説明したように、請求項１の発明によれば、前記第１および第２の増幅手段が、符号分割多元接続方式における拡散符号の１チップ以上の遅延量を共通して付与するチップ遅延手段を共有するようにし、無線中継装置の小型軽量化を図ることができるという効果を奏する。
【００３７】
また、請求項２の発明によれば、前記第１および第２の干渉抑圧手段が、前記第１および第２の回り込み信号の遅延量がほぼ同じであることに着目し、前記第１および第２の干渉抑圧信号と前記第１および第２の回り込み信号との遅延差に相当する遅延量を共通して付与する遅延手段を共有するようにし、無線中継装置の小型軽量化をさらに図ることができるという効果を奏する。
【００３８】
また、請求項３の発明によれば、前記チップ遅延手段および／または前記遅延手段は信号入力部および信号出力部に、前記第１の受信信号と同一周波数帯および前記第２の受信信号と同一周波数帯のフィルタを設け、第１の受信信号と第２の受信信号とを峻別するようにしているので、第１および第２の受信信号の中継処理を確実に行うことができるという効果を奏する。
【００３９】
また、請求項４の発明によれば、前記チップ遅延手段または前記遅延手段は、入力された電気信号を光信号に変換する電気光変換手段と、出力される光信号を電気信号に変換する光電気変換手段との間に遅延用の光ファイバケーブルを接続し、同軸ケーブルに比して小型軽量化を一層促進するとともに、高価な電気光変換手段および光電気変換手段の部品数を削減できるので、一層小型軽量化を促進するとともに、コスト高を削減できるという効果を奏する。
【図面の簡単な説明】
【図１】この発明の実施の形態１である無線中継装置の構成を示すブロック図である。
【図２】この発明の実施の形態２である無線中継装置の構成を示すブロック図である。
【図３】無線中継装置が用いられる移動通信システムの概要構成を示す図である。
【図４】従来の無線中継装置の構成を示すブロック図である。
【符号の説明】
１ａ，１ｂ　アンテナ
２ａ，２ｂ　サーキュレータ
３ａ，３ｂ，５ａ，５ｂ，１０ａ，１０ｂ，１１ａ，１１ｂ　方向性結合器
４ａ，４ｂ　低雑音増幅器
６ａ，６ｂ，８ａ，８ｂ，４０ａ，４０ｂ，４１ａ，４１ｂ　フィルタ
７，１２，１２ａ，１２ｂ　遅延器
９ａ，９ｂ　電力増幅器
１３ａ，１３ｂ　移相器
１４ａ，１４ｂ　減衰器
２１，２４，２７，３１　電気光変換器
２２，２５，２８，３２　光電気変換器
２３，２６，２９，３３　光ファイバケーブル
ＳＤ　下り主線系信号
ＳＵ　上り主線系信号
ＳＤＸ　下り抑圧系信号
ＳＵＸ　上り抑圧系信号
Ｓａ，Ｓｂ　回り込み信号
【図１】
2004048200.tif 000003
【図２】
2004048200.tif 000004
【図３】
2004048200.tif 000005
【図４】
2004048200.tif 000006